(57)【要約】【課題】この発明は、複数枚のフィン端部側の折れ曲がりを一度に手直しできるとともに、フィンピッチの異なる熱交換器のフィン端部側の折れ曲がりの手直しにも対応できる熱交換器用フィン手直し治具を得る。【解決手段】フィン手直し治具１０は、所定長さを有するガイド棒１１と、ガイド棒１１にその長さ方向にスライド移動自在に装着された複数の基部１４と、各基部１４をガイド棒１１に締着固定する締着ボルト１６と、各基部１４に設けられ、ガイド棒１１の長さ方向の隙間が一定に形成され、フィン２の端部側が挿入されてフィン２の端部側の折れ曲がりを整形する整形部１８、およびガイド棒１１の長さ方向の隙間が整形部１８の端部から漸次拡大する口開き状に延設され、フィン２の端部を整形部１８に導くガイド部１９を有する手直し部１７と、を備える。【選択図】図２
2010276219.tif 000002
【特許請求の範囲】
【請求項１】
熱交換パイプが所定ピッチで配列された多数枚のフィンを貫通するように構成された熱交換器のフィン端部側の折れ曲がりを手直しする治具であって、
所定長さを有するガイド棒と、
上記ガイド棒にその長さ方向にスライド移動自在に装着された複数の基部と、
上記複数の基部のそれぞれを上記ガイド棒に締着固定する締着手段と、
上記複数の基部のそれぞれに設けられ、上記ガイド棒の長さ方向と直交し、かつ該ガイド棒の長さ方向に所定の隙間を持って相対する一対の壁面を有し、上記フィンの端部側が挿入されて該フィンの端部側の折れ曲がりを整形する整形部、および該ガイド棒の長さ方向の隙間が該整形部の端部から漸次拡大する口開き状に延設され、該フィンの端部を該整形部に導くガイド部を有する手直し部と、
を備えていることを特徴とする熱交換器用フィン手直し治具。
【発明の詳細な説明】
【技術分野】
【０００１】
この発明は、例えば、空気調和機を構成する熱交換器のフィンの折れ曲がりを手直しする治具に関するものである。
【背景技術】
【０００２】
従来の空気調和機に適用される熱交換器は、多数枚の平板状のフィンを狭小の隙間を存して並設し、かつこれらフィンに熱交換パイプを貫通するとともに、フィンの端部から突出する部分をＵ字状に屈曲して蛇行状に連通させて構成されている（例えば、特許文献１参照）。
【先行技術文献】
【特許文献】
【０００３】
【特許文献１】特開平１０−１３２３２５号公報
【発明の概要】
【発明が解決しようとする課題】
【０００４】
特許文献１には、熱交換器の具体的な構成は記載されていないが、一般的に、フィンには、０．１〜０．２ｍｍ厚のアルミ薄板が用いられ、１０ｍｍ程度の隙間を存して数百枚並設されている。そして、空気調和機の設置時や点検時には、熱交換器の筐体を開けての作業をともなう。このとき、工具などがフィンに触れると、フィン端部側が簡単に折れ曲がってしまう。そして、フィン端部側が折れ曲がっていると、除霜時の水をドレンパンにスムーズに落とすことができず、根氷の原因となり、熱交換能力が低下してしまう。
そこで、作業者は、フラットノーズプライヤを用いて、数十枚から百数十枚のフィン端部側の折れ曲がり部を１枚１枚手直しすることになり、作業負荷が大きくなるとともに、作業時間が長くなるという課題があった。
【０００５】
本発明は、前記のような課題を解決するためになされたものであり、複数枚のフィン端部側の折れ曲がりを一度に手直しできるとともに、フィンピッチの異なる熱交換器のフィン端部側の折れ曲がりの手直しにも対応できる熱交換器用フィン手直し治具を得ることを目的とする。
【課題を解決するための手段】
【０００６】
本発明に係る熱交換器用フィン手直し治具は、熱交換パイプが所定ピッチで配列された多数枚のフィンを貫通するように構成された熱交換器のフィン端部側の折れ曲がりを手直しする治具であって、所定長さを有するガイド棒と、上記ガイド棒にその長さ方向にスライド移動自在に装着された複数の基部と、上記複数の基部のそれぞれを上記ガイド棒に締着固定する締着手段と、上記複数の基部のそれぞれに設けられ、上記ガイド棒の長さ方向と直交し、かつ該ガイド棒の長さ方向に所定の隙間を持って相対する一対の壁面を有し、上記フィンの端部側が挿入されて該フィンの端部側の折れ曲がりを整形する整形部、および該ガイド棒の長さ方向の隙間が該整形部の端部から漸次拡大する口開き状に延設され、該フィンの端部を該整形部に導くガイド部を有する手直し部と、を備える。
【発明の効果】
【０００７】
本発明によれば、手直し部を有する複数の基部がガイド部に装着されているので、複数枚のフィン端部側の折れ曲がりを一度に手直しでき、作業負荷が軽減されるとともに、作業時間を短くできる。さらに、締着手段による締着を緩め、基部をスライド移動させて基部のピッチをフィンの配列ピッチに調整し、その後締着手段を締着して基部をガイド棒に固定すれば、フィンピッチの異なる熱交換器のフィン端部側の折れ曲がりの手直しにも適用できる。
【図面の簡単な説明】
【０００８】
【図１】熱交換器の構成を模式的に示す正面図である。
【図２】この発明の一実施の形態に係る熱交換器用フィン手直し治具の構成を説明する図である。
【図３】熱交換器におけるフィン端部側の折れ曲がり状態を示す要部側面部である。
【図４】この発明の一実施の形態に係るフィン手直し治具を用いてフィン端部側の折れ曲がりを手直しする方法を説明する図である。
【図５】この発明の一実施の形態に係るフィン手直し治具を用いてフィン端部側の折れ曲がりを手直しする方法を説明する図である。
【図６】この発明の一実施の形態に係るフィン手直し治具を用いてフィン端部側の折れ曲がりを手直しする方法を説明する図である。
【発明を実施するための形態】
【０００９】
まず、本願の熱交換器用フィン手直し治具を説明するに先だって、本願の特徴を明確にするために、熱交換器の構造について図１を参照しつつ説明する。
【００１０】
図１は熱交換器の構成を模式的に示す正面図である。
図１において、フィン２は、所定形状に形成された０．１ｍｍ〜０．２ｍｍのアルミ薄板からなり、例えば１０ｍｍの間隔で数百枚並設されている。そして、複数本の熱交換パイプ３が、それぞれ銅などの良熱伝導材料からなり、各フィン２をフィン２の並設方向に貫通して配設されている。さらに、各熱交換パイプ３が、それらの端部同士をＵ字状に曲げられた連結管４により蛇行状に連結されている。
【００１１】
このように構成された熱交換器１では、図１中矢印で示されるように、冷媒が蛇行状に連結された熱交換パイプ３内を流通し、フィン２を介して外気と熱交換される。
そして、フィン２がアルミ薄板で構成されているので、空気調和機の設置時や点検時に工具などが触れると変形する。そして、フィン２の端部側が折れ曲がっていると、除霜時の水をドレンパンにスムーズに落とすことができず、根氷の原因となり、熱交換能力の低下をもたらす。
【００１２】
つぎに、この発明の熱交換器用フィン手直し治具の構成について図２を参照しつつ説明する。図２はこの発明の一実施の形態に係る熱交換器用フィン手直し治具の構成を説明する図であり、図２の（ａ）は側面図、図２の（ｂ）は正面図である。
【００１３】
図２において、フィン手直し治具１０は、所定長さの円筒体に作製され、一端に把持部１２が形成されたガイド棒１１と、ガイド棒１１の外周面に長さ方向に延設されたガイドレール１３と、それぞれ、ガイド棒１１に外嵌状態に嵌着されるリング状に作製され、その内周面に凹設されたガイド溝１５をガイドレール１３に嵌合させて、ガイド棒１１の長さ方向にスライド自在に装着された基部１４と、基部１４に螺着されて基部１４をガイド棒１１に締着固定する締着手段としての締着ボルト１６と、基部１４の外周面から立設されたフィン手直し部１７と、を備えている。なお、ガイド棒１１、基部１４などにはアルミ材が用いられ、軽量化を図っている。
【００１４】
ここで、フィン手直し部１７は、ステンレスなどの金属材料からなる矩形平板を屈曲して作製され、矩形平板の表面をガイド棒１１の長さ方向と直交させて、所定の隙間を有して相対して基部１４の外周面から立設して構成された整形部１８と、ガイド棒１１の長さ方向の隙間が整形部１８の先端部から漸次拡大する口開き状に延設されたガイド部１９と、を備えている。そして、例えば、整形部１８を構成する、相対する一対の壁面の隙間は１ｍｍに、立設高さは２ｃｍに、ガイド部１９の先端部のガイド棒１１の長さ方向の隙間は２ｍｍに、延設長さは１ｃｍに、それぞれ設定されている。
【００１５】
このように構成されたフィン手直し治具１０は、各締着ボルト１６の締着を緩めると、基部１４は、ガイドレール１３とガイド溝１５との嵌合により、ガイド棒１１の軸心回りの回動を規制されて長さ方向にスライド移動できる。
【００１６】
つぎに、フィン手直し治具１０を用いたフィン２の折れ曲がりの手直し方法を図３乃至図６を参照しつつ説明する。図３は熱交換器におけるフィン端部側の折れ曲がり状態を示す要部側面部、図４乃至図６はそれぞれこの発明の一実施の形態に係るフィン手直し治具を用いてフィン端部側の折れ曲がりを手直しする方法を説明する図である。
【００１７】
まず、図３に示されるように、熱交換器１のフィン２の端部側に折れ曲がりが生じているとする。そこで、作業者は、締着ボルト１６の締着を緩め、基部１４をスライド移動させ、フィン手直し部１７のピッチをフィン２の配列ピッチに調整した後、締着ボルト１６を締着して、基部１４をガイド棒１１に固定する。
【００１８】
ついで、作業者は、把持部１２を持って、図４に示されるように、フィン２の端部が各ガイド部１９内に入るように、フィン手直し治具１０を熱交換器１に近づける。このフィン手直し治具１０の熱交換器１への接近にともない、まず、各フィン２の端部が図５の（ａ）に示されるようにガイド部１９の斜面に当接する。ついで、各フィン２の端部側が図５の（ｂ）に示されるように塑性変形しつつ、各フィン２の端部がガイド部１９の斜面に沿って整形部１８側に移動する。
【００１９】
そして、整形部１８に到達したフィン２の端部は、図６の（ａ）に示されるように整形部１８内に挿入され、ついには、図６の（ｂ）に示されるように、整形部１８の底部近傍に到達する。このとき、フィン２の折れ曲がっている端部側は、整形部１８の内壁面に接触しつつ底部側に移動し、その折れ曲がりが整形される。
【００２０】
ついで、作業者は、フィン手直し治具１０をフィン２の積層体から引き抜き、フィン２の積層方向に移動し、次の５枚のフィン２の折れ曲がりを同様にして手直しする。このフィン２の折れ曲がり手直し作業を繰り返し行い、熱交換器１の全てのフィン２の折れ曲がりを手直しする。
【００２１】
このフィン手直し治具１０は、ガイド棒１１の長さ方向と直交し、かつガイド棒１１の長さ方向に所定の隙間を持って相対する一対の壁面を有し、フィン２の端部側が挿入されてフィン２の端部側の折れ曲がりを整形する整形部１８、およびガイド棒１１の長さ方向の隙間が整形部１８の先端部から漸次拡大する口開き状に延設され、フィン２の端部を整形部１８に導くガイド部１９を有する手直し部１７を備えている。そこで、フィン２の端部がガイド部１９内に位置するようにしてフィン手直し治具１０をフィン２側に移動させるだけで、フィン２の端部がガイド部１９に案内されて整形部１８に導かれ、整形部１８内に挿入され、フィン２の折れ曲がっている端部側が整形部１８内を進むにつれ、その折れ曲がりが整形される。このように、フィン手直し治具１０を用いれば、フィン２の折れ曲がりを簡易に手直しすることができる。
【００２２】
また、フィン手直し治具１０は、ガイド棒１１と、それぞれ手直し部１７が立設され、ガイド棒１１にその長さ方向にスライド移動自在に装着された５個の基部１４と、各基部１４をガイド棒１１に締着固定する締着ボルト１６と、を備えている。そこで、一度に５枚のフィン２の折れ曲がりを手直しでき、作業負荷が軽減され、作業時間が短くなる。さらに、基部１４の配列ピッチを変更できるので、１つのフィン手直し治具１０でフィンピッチの異なる熱交換器１に対応でき、汎用性に優れる。
【００２３】
また、フィン手直し治具１０は、ガイドレール１３がガイド棒１１に形成され、ガイドレール１３に嵌合するガイド溝１５が基部１４の内周面に凹設されているので、基部１４のガイド棒１１の軸心回りの回動が規制される。そこで、基部１４の配列ピッチを調整する際に、基部１４の回動がないので、基部１４の位置調整作業が簡易となる。
【００２４】
なお、上記実施の形態では、ガイドレールをガイド棒の外周面に形成し、ガイドレールに嵌合するガイド溝を基部の内周面に凹設し、基部の回動を規制するものとしているが、基部の回動を規制する手段は、この構成に限定されるものではなく、例えばガイド棒を多角形の外形形状とし、基部をガイド棒の外形形状に適合する内形形状に形成してもよい。
また、上記実施の形態では、５つの基部がガイド棒にスライド移動自在に装着されているものとしているが、ガイド棒に装着される基部の個数は５つに限定されないことは言うまでもないことである。
【００２５】
また、上記実施の形態では、手直し部が２枚の金属板を屈曲成形して作製されているものとしているが、手直し部はこの構成に限定されるものではなく、例えば、直方体の金属製ブロックを切削加工して、ガイド棒の長さ方向と直交し、かつガイド棒の長さ方向に所定の隙間を持って相対する一対の壁面を有する整形部と、ガイド棒の長さ方向の隙間が整形部の端部から漸次拡大する口開き状に延設されたガイド部とを形成してもよい。この場合、整形部およびガイド部は、ガイド棒の長さ方向と直交する方向に開口している。
【符号の説明】
【００２６】
１  熱交換器、２  フィン、３  熱交換パイプ、１０  フィン手直し治具、１１  ガイド棒、１４  基部、１６  締着ボルト（締着手段）、１７  手直し部、１８  整形部、１９  ガイド部。
【図１】
2010276219.tif 000003
【図２】
2010276219.tif 000004
【図３】
2010276219.tif 000005
【図４】
2010276219.tif 000006
【図５】
2010276219.tif 000007
【図６】
2010276219.tif 000008
【手続補正書】
【提出日】平成21年7月2日(2009.7.2)
【手続補正１】
【補正対象書類名】明細書
【補正対象項目名】０００１
【補正方法】変更
【補正の内容】
【０００１】
この発明は、例えば、冷凍機ユニットクーラを構成する熱交換器のフィンの折れ曲がりを手直しする治具に関するものである。
【手続補正２】
【補正対象書類名】明細書
【補正対象項目名】０００２
【補正方法】変更
【補正の内容】
【０００２】
従来の冷凍機ユニットクーラに適用される熱交換器は、多数枚の平板状のフィンを狭小の隙間を存して並設し、かつこれらフィンに熱交換パイプを貫通するとともに、フィンの端部から突出する部分をＵ字状に屈曲して蛇行状に連通させて構成されている（例えば、特許文献１参照）。
【手続補正３】
【補正対象書類名】明細書
【補正対象項目名】０００４
【補正方法】変更
【補正の内容】
【０００４】
特許文献１には、熱交換器の具体的な構成は記載されていないが、一般的に、フィンには、０．１〜０．２ｍｍ厚のアルミ薄板が用いられ、１０ｍｍ程度の隙間を存して数百枚並設されている。そして、冷凍機ユニットクーラの設置時や点検時には、熱交換器の筐体を開けての作業をともなう。このとき、工具などがフィンに触れると、フィン端部側が簡単に折れ曲がってしまう。そして、フィン端部側が折れ曲がっていると、除霜時の水をドレンパンにスムーズに落とすことができず、根氷の原因となり、熱交換能力が低下してしまう。
そこで、作業者は、フラットノーズプライヤを用いて、数十枚から百数十枚のフィン端部側の折れ曲がり部を１枚１枚手直しすることになり、作業負荷が大きくなるとともに、作業時間が長くなるという課題があった。
【手続補正４】
【補正対象書類名】明細書
【補正対象項目名】００１１
【補正方法】変更
【補正の内容】
【００１１】
このように構成された熱交換器１では、図１中矢印で示されるように、冷媒が蛇行状に連結された熱交換パイプ３内を流通し、フィン２を介して冷凍機ユニットクーラ吸い込み空気と熱交換される。
そして、フィン２がアルミ薄板で構成されているので、冷凍機ユニットクーラの設置時や点検時に工具などが触れると変形する。そして、フィン２の端部側が折れ曲がっていると、除霜時の水をドレンパンにスムーズに落とすことができず、根氷の原因となり、熱交換能力の低下をもたらす。